(57)【要約】【課題】電圧依存性を有する現象により電圧変動が起こる場合に、フリッカーおよび焼き付きを抑制する。【解決手段】電気光学装置は、共通電極と、画素電極と、一の走査線を選択する走査信号を出力する走査線駆動回路と、走査線駆動回路により選択される一の走査線に対応する画素電極に書き込まれるデータ電圧を示すデータ信号を出力し、データ電圧の極性が、第１フレームにおいて第１極性であり、第１フレームに後続する第２フレームにおいて第１極性と逆の第２極性であるデータ線駆動回路とを有する。ここで、（１）第１フレームの時間長は、第２フレームの時間長に対し所定の割合で長く、（２）データ電圧は、電圧値に応じて補正されており、（３）共通電極の電位は、（１）の条件で（２）により補正された、第１極性のデータ電圧と第２極性のデータ電圧との中心電位と共通電極の電位とのずれが、所定の基準電圧においてゼロになるように調整されている。【選択図】図１８
2013109131.tif 000002
【特許請求の範囲】
【請求項１】
共通電極と、
複数の走査線および複数のデータ線の交差に対応して設けられた複数の画素電極と、
前記複数の走査線の中から一の走査線を選択する走査信号を出力する走査線駆動回路と
、
前記走査線駆動回路により選択される一の走査線に対応する画素電極に書き込まれるデ
ータ電圧を示すデータ信号を出力し、前記データ電圧の極性が、第１フレームにおいて第
１極性であり、前記第１フレームに後続する第２フレームにおいて前記第１極性と逆の第
２極性であるデータ線駆動回路と
を有し、
（１）前記第１フレームの時間長は、前記第２フレームの時間長に対し所定の割合で長
く、
（２）前記データ電圧は、電圧値に応じて補正されており、
（３）前記共通電極の電位は、前記（１）の条件で前記（２）により補正された、前記
第１極性のデータ電圧と前記第２極性のデータ電圧との中心電位と前記共通電極の電位と
のずれが、所定の基準電圧においてゼロになるように調整されている
ことを特徴とする電気光学装置。
【請求項２】
前記データ線駆動回路は、
入力された画像データに対応する補正値を出力するテーブルと、
前記データ電圧の極性を示す極性信号に応じて、前記テーブルから出力された前記補
正値を前記画像データに加算または減算する加算回路と
を有することを特徴とする請求項１に記載の電気光学装置。
【請求項３】
前記テーブルにおける画像データと補正値との対応関係は、複数の個体についての、前
記ずれの前記データ電圧依存性の測定結果に基づく平均特性を示す
ことを特徴とする請求項２に記載の電気光学装置。
【請求項４】
前記テーブルにおける補正値は、画像データに対し非線形である
ことを特徴とする請求項２または３に記載の電気光学装置。
【請求項５】
前記共通電極の電位は、前記電気光学装置の個体毎に個別に調整される
ことを特徴とする請求項１ないし４のいずれか一項に記載の電気光学装置。
【請求項６】
請求項１ないし５のいずれか一項に記載の電気光学装置を有する電子機器。
【請求項７】
共通電極と、複数の走査線および複数のデータ線の交差に対応して設けられた複数の画
素電極と、前記複数の走査線の中から一の走査線を選択する走査信号を出力する走査線駆
動回路と、前記走査線駆動回路により選択される一の走査線に対応する画素電極に書き込
まれるデータ電圧を示すデータ信号を出力するデータ線駆動回路と
を有する電気光学装置の駆動方法であって、
前記データ線駆動回路が、第１フレームにおいて第１極性である前記データ電圧を示す
前記データ信号を出力するステップと、
前記第１フレームに後続する第２フレームにおいて前記第１極性と逆の第２極性である
前記データ電圧を示す前記データ信号を出力するステップと
を有し、
（１）前記第１フレームの時間長は、前記第２フレームの時間長に対し所定の割合で長
く、
（２）前記データ電圧は、電圧値に応じて補正されており、
（３）前記共通電極の電位は、前記（１）の条件で前記（２）により補正された、前記
第１極性のデータ電圧と前記第２極性のデータ電圧との中心電位と前記共通電極の電位と
のずれが、所定の基準電圧においてゼロになるように調整されている
ことを特徴とする駆動方法。
【発明の詳細な説明】
【技術分野】
【０００１】
本発明は、電気光学装置においてフリッカーおよび焼き付きを抑制する技術に関する。
【背景技術】
【０００２】
液晶表示装置等の電気光学装置においては、素子の劣化を抑制するため、正極性の電圧
と負極性の電圧とが交互に印加される。また、電気光学素子に印加される電圧が、駆動回
路から出力される電圧から変動する現象が知られている。この電圧変動により、電気光学
素子に印加される電圧が正負で非対称となり、フリッカーおよび焼き付きが発生する場合
がある。特許文献１は、いわゆるフィードスルーに起因する電圧変動（第１の現象）と、
電極材料に起因する電圧変動（第２の現象）とを加算した値を一定の補正電圧として、対
向電極（共通電極）の電位を調整する技術を開示している。
【先行技術文献】
【特許文献】
【０００３】
【特許文献１】特開２００２−１８９４６０号公報
【発明の概要】
【発明が解決しようとする課題】
【０００４】
特許文献１に記載の技術においては、第１の現象または第２の現象に電圧依存性が有る
場合に、駆動電圧によって補正値の過不足が生じてフリッカーまたは焼き付きが発生して
しまうときがあった。
これに対し本発明は、電圧依存性を有する現象により電圧変動が起こる場合に、フリッ
カーおよび焼き付きを抑制する技術を提供する。
【課題を解決するための手段】
【０００５】
本発明は、共通電極と、複数の走査線および複数のデータ線の交差に対応して設けられ
た複数の画素電極と、前記複数の走査線の中から一の走査線を選択する走査信号を出力す
る走査線駆動回路と、前記走査線駆動回路により選択される一の走査線に対応する画素電
極に書き込まれるデータ電圧を示すデータ信号を出力し、前記データ電圧の極性が、第１
フレームにおいて第１極性であり、前記第１フレームに後続する第２フレームにおいて前
記第１極性と逆の第２極性であるデータ線駆動回路とを有し、（１）前記第１フレームの
時間長は、前記第２フレームの時間長に対し所定の割合で長く、（２）前記データ電圧は
、電圧値に応じて補正されており、（３）前記共通電極の電位は、前記（１）の条件で前
記（２）により補正された、前記第１極性のデータ電圧と前記第２極性のデータ電圧との
中心電位と前記共通電極の電位とのずれが、所定の基準電圧においてゼロになるように調
整されていることを特徴とする電気光学装置を提供する。
この電気光学装置によれば、データ電圧依存性を有する現象により電圧変動が起こる場
合に、フリッカーおよび焼き付きを抑制することができる。
【０００６】
好ましい態様において、前記データ線駆動回路は、入力された画像データに対応する補
正値を出力するテーブルと、前記データ電圧の極性を示す極性信号に応じて、前記テーブ
ルから出力された前記補正値を前記画像データに加算または減算する加算回路とを有して
もよい。
この電気光学装置によれば、テーブルを用いてデータ電圧を補正することができる。
【０００７】
別の好ましい態様において、前記テーブルにおける画像データと補正値との対応関係は
、複数の個体についての、前記ずれの前記データ電圧依存性の測定結果に基づく平均特性
を示してもよい。
この電気光学装置によれば、複数の個体についての平均特性を用いて、個々の電気光学
装置を補正することができる。
【０００８】
さらに別の好ましい態様において、前記テーブルにおける補正値は、画像データに対し
非線形であってもよい。
この電気光学装置によれば、前記ずれの前記データ電圧依存性が非線形である場合に、
フリッカーおよび焼き付きを抑制することができる。
【０００９】
さらに別の好ましい態様において、前記共通電極の電位は、前記電気光学装置の個体毎
に個別に調整されてもよい。
この電気光学装置によれば、フリッカーおよび焼き付きを個体毎に最小にできる。
【００１０】
また、本発明は、上記いずれかの電気光学装置を有する電子機器を提供する。
この電子機器によれば、データ電圧依存性を有する現象により電圧変動が起こる場合に
、フリッカーおよび焼き付きを抑制することができる。
【００１１】
さらに、本発明は、共通電極と、複数の走査線および複数のデータ線の交差に対応して
設けられた複数の画素電極と、前記複数の走査線の中から一の走査線を選択する走査信号
を出力する走査線駆動回路と、前記走査線駆動回路により選択される一の走査線に対応す
る画素電極に書き込まれるデータ電圧を示すデータ信号を出力するデータ線駆動回路とを
有する電気光学装置の駆動方法であって、前記データ線駆動回路が、第１フレームにおい
て第１極性である前記データ電圧を示す前記データ信号を出力するステップと、前記第１
フレームに後続する第２フレームにおいて前記第１極性と逆の第２極性である前記データ
電圧を示す前記データ信号を出力するステップとを有し、（１）前記第１フレームの時間
長は、前記第２フレームの時間長に対し所定の割合で長く、（２）前記データ電圧は、電
圧値に応じて補正されており、（３）前記共通電極の電位は、前記（１）の条件で前記（
２）により補正された、前記第１極性のデータ電圧と前記第２極性のデータ電圧との中心
電位と前記共通電極の電位とのずれが、所定の基準電圧においてゼロになるように調整さ
れていることを特徴とする駆動方法を提供する。
この駆動方法によれば、データ電圧依存性を有する現象により電圧変動が起こる場合に
、フリッカーおよび焼き付きを抑制することができる。
【図面の簡単な説明】
【００１２】
【図１】電気光学装置における画素１４の等価回路を示す図。
【図２】駆動回路により出力されるデータ電圧Ｖｄａｔの波形を例示する図。
【図３】データ電圧Ｖｄａｔの波形の別の例を示す図。
【図４】ＬＣｃｏｍずれのデータ電圧依存性を示す図。
【図５】ＬＣｃｏｍずれの一般的な補正方法を説明する図。
【図６】ＬＣｃｏｍずれの経時変化を例示する図。
【図７】ＬＣｃｏｍシフトを例示する図。
【図８】Ｖｄａｔ−ΔＬＣｃｏｍｓａｔ特性を例示する図。
【図９】ＬＣｃｏｍずれを例示する図。
【図１０】液晶素子１４３における電圧変動を説明するモデルを示す図。
【図１１】データ電圧を切り換えた直後の電圧波形を例示する図。
【図１２】オフセットが異なる画素の光学特性の差を説明する図。
【図１３】ｔｐを変化させた場合の、Ｖｄａｔ−ΔＬＣｃｏｍｓａｔ特性を示す図。
【図１４】ＬＣｃｏｍずれを例示する図。
【図１５】複数の個体についてのＬＣｃｏｍずれの測定結果を例示する図。
【図１６】補正したデータ電圧で駆動した場合のＬＣｃｏｍずれを例示する図。
【図１７】Ｌｃｃｏｍ電位の調整を行った場合のＬＣｃｏｍずれを例示する図。
【図１８】一実施形態に係る電子機器１の構成を示す図。
【図１９】データ線駆動回路１７の構成を示す図。
【図２０】ＬＵＴ１７１に記憶されているデータを例示する図。
【図２１】ＬＵＴ１７１に記憶されているデータを説明する図。
【図２２】液晶パネル１０の動作を示すタイミングチャートを例示する図。
【図２３】プロジェクター２１００の構成を示す図。
【発明を実施するための形態】
【００１３】
１．原理
図１は、電気光学装置における画素１４の等価回路を示す図である。電気光学装置は、
ｍ行ｎ列のマトリクス状に配置された複数の画素１４を有する。電気光学装置は、複数の
画素１４の光学状態を制御することにより、画像を表示する装置である。
【００１４】
画素１４は、トランジスター１４１と、容量素子１４２と、液晶素子１４３とを有する
。液晶素子１４３は、画素電極１１４と、液晶層１２と、共通電極１３１とを有する。ト
ランジスター１４１は、画素電極１１４へのデータの書き込みを制御するスイッチング手
段の一例であり、例えばｎチャネルのＴＦＴ（Thin Film Transistor）である。トランジ
スター１４１のゲート、ソース、およびドレインはそれぞれ、走査線１１５、データ線１
１６、および画素電極１１４に接続されている。Ｌ（Low）レベルの走査信号（非選択信
号）がゲートに入力されているとき、トランジスター１４１のソースとドレインは絶縁す
る。Ｈレベルの走査信号（選択信号）がゲートに入力されると、トランジスター１４１の
ソースとドレインは導通し、データに応じた電圧が画素電極１１４に書き込まれる。以下
において、駆動回路から出力される電圧すなわちデータ線１１６に印加される電圧を「デ
ータ電圧」といい、実際に画素電極１１４に書き込まれる電圧を「駆動電圧」という。ま
た、トランジスター１４１のドレインには容量素子１４２も接続されている。容量素子１
４２は、データ電圧に応じた電荷を保持する。画素電極１１４は、画素１４に一つずつ設
けられており、共通電極１３１と対向している。共通電極１３１は、すべての画素１４に
共通であり、電位ＬＣｃｏｍが与えられる。液晶層１２には、画素電極１１４と共通電極
１３１との電位差に相当する電圧が印加される。例えば、透過型の電気光学装置において
、液晶層１２は、光源（図示略）からの光を変調する。
【００１５】
図２は、駆動回路により出力されるデータ電圧Ｖｄａｔの波形を例示する図である。図
２において、横軸は時間を、縦軸は電圧を示している。データ電圧Ｖｄａｔは、所定の電
位（例えば接地電位）を基準とした電圧である。液晶素子１４３には、画素電極１１４の
電位と共通電位ＬＣｃｏｍの電位差に相当する電圧が印加される。液晶素子１４３に電圧
を印加する際には、液晶素子１４３におけるフリッカーや焼き付きを防止するため、同じ
大きさのデータ電圧を正極性および負極性でそれぞれ書き込むのが理想的である。図２の
電位Ｖｃｎｔａは、データ電圧Ｖｄａｔの中心電位を示している。データ電圧の振幅は２
Ｖａである。理想的には、中心電位Ｖｃｎｔａと共通電位ＬＣｃｏｍを一致させることに
より（Ｖｃｎｔａ＝ＬＣｃｏｍ）、液晶素子１４３に印加される電圧は、最初の期間にお
いては＋Ｖａ、次の期間においては−Ｖａとなる。これにより、正極性の電圧と負極性の
電圧は等しくなり（すなわち印加電圧は正負対称となり）、フリッカーは最小となるはず
である。
【００１６】
しかし、実際には、共通電位ＬＣｃｏｍを変化させながらフリッカーを測定すると、フ
リッカーが最小となる電位は、中心電位Ｖｃよりも低いことがわかる。データ電圧Ｖｄａ
ｔの中心電位Ｖｃと、フリッカーが最小となる共通電位ＬＣｃｏｍ（最適ＬＣｃｏｍ）と
の差を「ＬＣｃｏｍずれ」といい、ΔＬＣｃｏｍで表す。
ΔＬＣｃｏｍ＝ＬＣｃｏｍ−Ｖｃ  ・・・（１）
である。
【００１７】
初期状態において（この「初期状態」の意義については後述する）、ＬＣｃｏｍずれは
、画素１４のトランジスター１４１において発生するいわゆるフィードスルー（プッシュ
ダウンまたはプッシュアップともいう）現象によるものである。フィードスルー現象とは
、トランジスター１４１のゲート／ソース間電圧がＨレベルからＬレベルに変化したとき
に、ゲート／ドレイン間の（寄生容量による）容量性結合により、ドレインの電位すなわ
ち画素電極１１４の電位が変化する現象をいう。フィードスルーにより電位が変化する方
向は、トランジスター１４１のチャネルの伝導型に依存している。具体的には、トランジ
スター１４１がｎチャネル型であれば電位は下降し、ｐチャネル型であれば電位は上昇す
る。
【００１８】
図３は、データ電圧の波形の別の例を示す図である。この例では、データ電圧Ｖｄａｔ
の振幅は２Ｖｂであり、中心電位はＶｃｎｔｂである。本願発明者らの実験により、ＬＣ
ｃｏｍずれΔＬＣｃｏｍは、データ電圧に応じて変化することがわかった。図２と図３と
を比較すると、ΔＬＣｃｏｍが異なっている。これは、トランジスター１４１のゲート／
ソース間容量およびゲート／ドレイン間容量が、ゲート／ソース間電圧およびゲート／ド
レイン間電圧に依存すること、さらには、ソース電圧およびドレイン電圧がデータ電圧に
ほぼ一致するように変化するためであると考えられる。
【００１９】
図４は、ＬＣｃｏｍずれのデータ電圧依存性を示す図である。図において縦軸はＬＣｃ
ｏｍずれΔＬＣｃｏｍを、横軸はデータ電圧Ｖｄａｔを示している。ここで、データ電圧
は、駆動回路から出力される電圧すなわちデータ線１１６に印加される電圧をいう。Ｖｄ
ａｔ−ΔＬｃｃｏｍ曲線の具体的な形状は、トランジスター１４１のサイズ（ゲート幅、
ゲート長など）、選択トランジスター（図示略）のサイズ、データ線１１６の寄生容量、
画素１４の容量、容量素子１４２の容量、ゲート電圧等のパラメーターに依存して決まる
が、一般的には直線にはならない。本願発明者らの実験により、Ｖｄａｔ−ΔＬＣｃｏｍ
曲線は、上記のパラメーターに依存したばらつきを含むものの、電気光学装置の機種に依
存した形状を有することがわかった。Ｖｄａｔ＝ＶａのときのＬＣｃｏｍずれをΔＬＣｃ
ｏｍ（Ｖａ）と表し、Ｖｄａｔ＝ＶｂのときのＬＣｃｏｍずれをΔＬＣｃｏｍ（Ｖｂ）と
表す。
【００２０】
図５は、ＬＣｃｏｍずれの一般的な補正方法を説明する図である。図４で例示したＬＣ
ｃｏｍずれを補償するため、一般には、決められた基準電圧Ｖｓｔｄにおいてフリッカー
が最小となるように共通電位ＬＣｃｏｍが決定される。図５のＶｄａｔ−ΔＬＣｃｏｍ曲
線は、ＬＣｃｏｍ補正後の状態を示している。図５の例では、データ電圧Ｖｄａｔ＝Ｖｓ
ｔｄのときにΔＬＣｃｏｍがゼロになるように、共通電位ＬＣｃｏｍが決められる。Ｖｄ
ａｔ＝Ｖａのときの補正後のＬＣｃｏｍずれをΔＬＣｃｏｍＣ（Ｖａ）と表し、Ｖｄａｔ
＝Ｖｂのときの補正後のＬＣｃｏｍずれをΔＬＣｃｏｍＣ（Ｖｂ）と表す。
【００２１】
図６は、ＬＣｃｏｍずれの経時変化を例示する図である。縦軸はΔＬＣｃｏｍを、横軸
はデータ電圧印加の経過時間を示している。本願発明者らの実験により、ΔＬＣｃｏｍは
経時変化することがわかった。図２〜図４では、経時的な初期状態（電圧印加せず十分長
時間放置した後の状態）においてのＬＣｃｏｍずれを説明した。図６の曲線Ａおよび曲線
Ｂは、それぞれ、データ電圧がＶｄａｔ＝Ｖａである場合およびＶｄａｔ＝Ｖｂである場
合のΔＬＣｃｏｍの経時変化を示している。ＬＣｃｏｍずれは指数関数的に変化し、十分
な時間が経過するとある値に飽和する。ＬＣｃｏｍずれの初期値と飽和値との差を、「Ｌ
Ｃｃｏｍシフト」といい、Ｓｃｏｍで表す。
Ｓｃｏｍ＝ΔＬＣｃｏｍｓａｔ−ΔＬＣｃｏｍｉｎｉ  ・・・（２）
である。ここで、ΔＬＣｃｏｍｓａｔはＬＣｃｏｍずれの飽和値を、ΔＬＣｃｏｍｉｎｉ
はＬＣｃｏｍずれの初期値を、それぞれ示す。Ｖｄａｔ＝ＶａのときのＬＣｃｏｍシフト
をＳｃｏｍ（Ｖａ）と表し、Ｖｄａｔ＝ＶｂのときのＬＣｃｏｍシフトをＳｃｏｍ（Ｖｂ
）と表す。
【００２２】
図７は、ＬＣｃｏｍシフトを例示する図である。縦軸はＬＣｃｏｍずれを、横軸はデー
タ電圧を示している。図７には、Ｖｄａｔ−ΔＬＣｃｏｍｉｎｉ曲線およびＶｄａｔ−Δ
ＬＣｃｏｍｓａｔ曲線の２つの曲線が示されている。あるデータ電圧においてこれら２つ
の曲線の差がＬＣｃｏｍシフトを表している。
【００２３】
図８は、種々の機種の電気光学装置におけるＶｄａｔ−ΔＬＣｃｏｍｓａｔ曲線を例示
する図である。本願の発明者らが種々の機種の電気光学装置について実験したところ、傾
きの正負および大小の違いはあるものの、Ｖｄａｔ−ΔＬＣｃｏｍｓａｔ曲線は、原点を
通る直線となることがわかった。なお、同一の機種であっても、この直線の傾きは個体毎
にばらつきがあることもわかった。
【００２４】
図９は、ＬＣｃｏｍずれを例示する図である。縦軸は電圧を、横軸は時間を示している
。図示されている波形は、液晶素子１４３に印加される電圧を示している。図においてゼ
ロＶの線は、データ電圧（駆動回路から出力される電圧）における中心電位を示している
。図９（ａ）はＶｄａｔ＝Ｖａの場合を、図９（ｂ）はＶｄａｔ＝Ｖｂの場合を示してい
る。それぞれ、左側は初期状態を、右側は飽和状態を示している。ΔＬＣｃｏｍおよびＳ
ｃｏｍが、データ電圧に応じて異なっていることがわかる。
【００２５】
図１０は、液晶素子１４３における電圧変動を説明するモデルを示す。このモデルにお
いて、液晶素子１４３は、交流電源１４３１と、直流電源１４３２と、容量１４３３と、
可変抵抗１４３４と、容量１４３５と、直流電源１４３６とを有する。交流電源１４３１
は、駆動回路の出力電圧Ｖｄａｔを示す。直流電源１４３２は、フィードスルーによる電
圧変化ΔＶ１を示す。電圧変化ΔＶ１は、データ電圧に応じて変化する。容量１４３３は
、例えば、パッシベーション膜、配向膜、界面に形成される電気二重層など、液晶素子１
４３の構造に起因する容量をまとめて表したものであり、容量値はＣＡである。可変抵抗
１４３４は、液晶層１２の抵抗であり、電流の向きにより抵抗値がＲＬＣＤ＋からＲＬＣ
Ｄ−へ、またはその逆に変化する抵抗である。容量１４３５は、液晶層１２の容量であり
、容量値はＣＬＣＤである。直流電源１４３６は、ＬＣｃｏｍずれの調整用の電圧を示す
。共通電極１３１は、すべての画素１４について共通の電極であるので、直流電源１４３
６の電圧ΔＶ２は、データ電圧によらず一定の値である。以下、このモデルを用いて、液
晶素子１４３における電圧変動を説明する。
【００２６】
飽和状態とは、それ以上ＬＣｃｏｍずれが変化しないことであるから、容量１４３３の
両端の電圧は不変である。ΔＶ＝ΔＱ／Ｃであるから、電荷の移動に着目すると、容量１
４３３への電荷の移動は、平均値としてはゼロである平衡状態になっている。いま、正極
性のデータ電圧をＶｐ＝Ｖ＋ΔＶ、負極性のデータ電圧をＶｍ＝−（Ｖ−ΔＶ）とし、そ
れぞれの印加時間をｔｐ、ｔｍとする。データ電圧の印加期間中、容量１４３５の容量Ｃ
ＬＣＤが不変であることから、
(V+ΔV) /(RLCD+)・tp  =  (V-ΔV)/(RLCD-)・tm  ・・・（３）
である。
【００２７】
図１０のＡ点とＢ点との間には、データ電圧に対して、直流電源１４３２および直流電
源１４３６によりオフセットされた電圧が印加される。初期状態においては、容量１４３
３および容量１４３５の両端電圧はともにゼロであり、Ａ点とＢ点との間の電圧がそのま
ま、容量１４３５に印加されると考えられる。すなわち、初期状態におけるＡ点とＢ点と
の間の電圧は、容量１４３５の両端電圧に等しい。容量１４３５の両端電圧の波形（デー
タ電圧と同様の方形波）の中心電位が、図９に示したＬＣｃｏｍずれの初期値として測定
される。
【００２８】
Ａ点とＢ点との間の電圧の波形は時間が経っても変化しないが、時間の経過とともに容
量１４３３に電荷が蓄積されていくと考える。電荷が蓄積されるにつれ、容量１４３３の
両端の電圧が大きくなっていき、容量１４３５に印加される電圧の波形が高電圧側または
低電圧側にシフトする。十分に時間が経過すると、容量１４３３が完全に充電され、これ
以上電荷が蓄積されなくなる。この時点における容量１４３３に印加される電圧波形の中
心電位と、Ａ点とＢ点との間に印加される電圧波形の中心電位の差が、図９に示されるＬ
Ｃｃｏｍシフトである。
【００２９】
いま、図９（ａ）および（ｂ）で例示したように、データ電圧Ｖａを印加して飽和状態
となっている画素Ａと、データ電圧Ｖｂを印加して飽和状態となっている画素Ｂとについ
て、あるタイミングでデータ電圧をＶｃに切り換えた場合を考える。データ電圧をＶｃに
切り換える直前において、画素Ａと画素ＢとでＬＣｃｏｍシフトが異なっているが、これ
は、容量１４３３に蓄積されている電荷が異なることを意味する。
【００３０】
図１１は、画素Ａおよび画素Ｂについて、データ電圧をＶｃに切り換えた直後の電圧波
形を例示する図である。ここで示されている電圧波形は、データ電圧ではなく駆動電圧の
波形を表している。このときのＬＣｃｏｍずれは、データ電圧ＶｃにおけるΔＬＣｃｏｍ
ｉｎｉに、容量１４３３の両端の電圧を加算した電圧に相当する。このとき、画素Ａと画
素Ｂには、同じデータ電圧Ｖｃが印加される。しかし、直前に印加されていた電圧が異な
るため容量１４３３の両端の電圧が異なるため（すなわち容量１４３５に蓄積されている
電荷が異なるため）、画素Ａと画素Ｂには、振幅は同じであるがオフセットが異なる波形
の電圧が印加される。データ電圧をＶａからＶｃに切り換えた直後のＬＣｃｏｍずれの変
動をΔＬＣｃｏｍ（Ｖｃ，Ｖａ）と表し、データ電圧をＶｂからＶｃに切り換えた直後の
ＬＣｃｏｍずれの変動をΔＬＣｃｏｍ（Ｖｃ，Ｖｂ）と表す。また、画素Ａにおいて、液
晶層１２（図１０のモデルの容量１４３５）に印加される正極性の電圧の大きさをＶｃ＋
（Ａ）と表し、負極性の電圧の大きさをＶｃ−（Ａ）と表す。同様に、画素Ｂにおいて、
液晶層１２に印加される正極性の電圧の大きさをＶｃ＋（Ｂ）と表し、負極性の電圧の大
きさをＶｃ−（Ｂ）と表す。この例では
［Ｖｃ−（Ａ）］＜［Ｖｃ−（Ｂ）］＜［Ｖｃ＋（Ｂ）］＜［Ｖｃ＋（Ａ）］
である。
【００３１】
図１２は、オフセットが異なる画素の光学特性の差を説明する図である。縦軸は光学特
性の一例として輝度を、横軸は駆動電圧の絶対値を示している。画素Ａについて、正極性
電圧および負極性電圧が印加されているときの輝度を、それぞれ、ｂ＋（Ａ）およびｂ−
（Ａ）と表す。ｂ＋（Ａ）およびｂ−（Ａ）の平均を、ｂａｖｅ（Ａ）と表す。画素Ｂに
ついて、正極性電圧および負極性電圧が印加されているときの輝度を、それぞれ、ｂ＋（
Ｂ）およびｂ−（Ｂ）と表す。ｂ＋（Ｂ）およびｂ−（Ｂ）の平均を、ｂａｖｅ（Ｂ）と
表す。
【００３２】
まずフリッカーについて考えると、画素Ａおよび画素Ｂのそれぞれにおいて、正極性電
圧および負極性電圧が印加されているときの輝度の差、すなわち、ｂ＋（Ａ）とｂ−（Ａ
）との差およびｂ＋（Ｂ）とｂ−（Ｂ）との差が、それぞれフリッカーとして視認される
。したがって、フリッカー抑制のためには、ΔＬＣｃｏｍｉｎｉ（ＬＣｃｏｍずれの初期
値）およびΔＬＣｃｏｍｓａｔ（ＬＣｃｏｍずれの飽和値）を小さくするように駆動すれ
ばよいことがわかる。
【００３３】
次に、画素Ａと画素Ｂとでは、平均輝度が異なっている。すなわち、同じデータ電圧Ｖ
ｃを与えても、それ以前に印加されていた電圧（それ以前に表示されていた画像）に応じ
て、平均輝度が異なっている。これは、一般に、液晶の電圧−輝度特性が線形ではなく、
オフセットの差が平均輝度の差として現れるためである。これが、いわゆる焼き付きとい
われる現象が発生するメカニズムである。このメカニズムによれば、焼き付きを抑制する
には、データ電圧によらずにＬＣｃｏｍシフトが同じ値となるように駆動すればよいこと
がわかる。
【００３４】
まず、ΔＬＣｃｏｍｓａｔ（ＬＣｃｏｍずれの飽和値）を小さくする方法を説明する。
前述のとおり、
(V+ΔV)/(RLCD+)・tp  =  (V-ΔV)/(RLCD-)・tm  ・・・（３）
である。ｔｐ＝ｔｍの場合、
(V+ΔV)/(RLCD+)  =  (V-ΔV)/(RLCD-)  ・・・（４）
である。この状態で、例えばデータ電圧３．０ＶのときのＬＣｃｏｍずれの飽和値が、Δ
ＬＣｃｏｍｓａｔ＝０．０９Ｖである場合、式（４）から、
(3+0.09)/(RLCD+) = (3-0.09)/(RLCD-) = K  ・・・（５）
である。ここでtp=t+Δt、tm=t-Δtとして、式（３）に代入すると、
(3+0)/(RLCD+)*(t+Δt) = (3-0)/(RLCD-)*(t-Δt)  ・・・（６）
である。式（６）に式（５）を代入し、式を変形すると、
(3+0)*K/(3+0.09)*(t+Δt) = (3-0)*K/(3-0.09)*(t-Δt)  ・・・（７）
(t+Δt)/(3+0.09) = (t-Δt)/(3-0.09)  ・・・（８）
(t+Δt)/(100+3) = (t-Δt)/(100-3)  ・・・（９）
である。よって正極側の期間を３％増加させることにより、ΔＬＣｃｏｍｓａｔ＝０で平
衡状態とできる。また、式の形により明らかなように、この関係は、駆動電圧３Ｖで成立
すれば、全ての駆動電圧で成立することになる。なお、これは、データ電圧３．０Ｖのと
きにＬＣｃｏｍずれの飽和値が０．０９Ｖである場合の例である。ｔｐとｔｍの比率は、
電気光学装置の特性に応じて決められる。
【００３５】
図１３は、ｔｐを３％増加させた場合の、Ｖｄａｔ−ΔＬＣｃｏｍｓａｔ特性を示す図
である。縦軸はＬＣｃｏｍずれの飽和値を、横軸はデータ電圧を示している。図中、実線
はｔｐを３％増加させた場合の特性を、破線は、比較のため、ｔｐ＝ｔｎである場合の特
性を示している。このように、ｔｐを３％増加させることにより、データ電圧の全範囲に
おいてＬＣｃｏｍずれの飽和値をほぼゼロにすることができる。これにより、正負駆動時
の輝度差はほぼゼロにできるため、飽和状態におけるフリッカーを抑制することができる
。
【００３６】
次に、焼き付き、および初期状態から飽和状態に至る過程におけるフリッカーを抑制す
る方法を説明する。
【００３７】
（１）まず、初期状態におけるＬＣｃｏｍずれのデータ電圧依存性、すなわちＶｄａｔ−
ΔＬＣｃｏｍｉｎｉ特性を測定する。
（２）次に、（１）の結果からある基準電圧（例えばゼロＶ）におけるＬＣｃｏｍずれを
減算し、相対的なＬＯＣｃｏｍずれを求める（以下、「相対ＬＣｃｏｍずれ」という）。
【００３８】
図１４は、ＬＣｃｏｍずれを例示する図である。縦軸はＬＣｃｏｍずれを、横軸はデー
タ電圧を示す。上記（１）の結果および（２）の結果がそれぞれ図示されている。
【００３９】
（３）複数の個体について、（１）および（２）の作業を行う。その結果から、相対ＬＣ
ｃｏｍずれの平均特性（平均値の曲線）を求める。個体間でのずれはあるものの、平均的
には、ある傾向があるはずである。
【００４０】
図１５は、複数の個体についてのＬＣｃｏｍずれの測定結果を例示する図である。
【００４１】
（４）（３）で得られた平均特性に基づいて、データ電圧の補正値を決定する。補正値は
、データ電圧の関数であり、（３）で得られた平均特性の電圧の正負を反転させた特性に
相当する。
【００４２】
図１６は、図１５の例において、補正したデータ電圧を用いて駆動した場合のＬＣｃｏ
ｍずれを例示する図である。個体間のばらつきはあるものの、全体として、ＬＣｃｏｍず
れはデータ電圧に対してほぼフラットな特性に補正されている。
【００４３】
（５）個体毎に、基準電圧（例えばゼロＶ）におけるフリッカーが最小となるようにＬＣ
ｃｏｍ電位の調整を行う。
【００４４】
図１７は、ＬＣｃｏｍ電位の調整を行った場合のＬＣｃｏｍずれを例示する図である。
個体間のばらつきはあるものの、全体として、図４と比較すると、ＬＣｃｏｍずれはデー
タ電圧の全範囲にわたって大幅に低減されていることがわかる。したがって、フリッカー
の発生を抑制することができる。
【００４５】
なお、ＬＣｃｏｍずれの飽和値については、先に説明したｔｐの調整によってデータ電
圧の全範囲においてほぼゼロにできる。したがって、初期状態かつデータ電圧が最大振幅
時におけるＬＣｃｏｍずれの最大値が、データ電圧に依存したＬＣｃｏｍずれの差のワー
ストケースである。したがって、全体として、ＬＣｃｏｍずれは抑制されている。
【００４６】
２．構成
図１８は、一実施形態に係る電子機器１の構成を示す図である。電子機器１は、映像デ
ータに従って画像を表示する装置、例えばプロジェクターである。電子機器１は、液晶パ
ネル１０（電気光学装置の一例）およびコントローラー２０を有する。液晶パネル１０は
、表示領域１５、走査線駆動回路１６、およびデータ線駆動回路１７を有する。表示領域
１５は、ｍ行ｎ列のマトリクス状に配置された複数の画素１４を有する。画素１４は、走
査線１１５およびデータ線１１６の交差に対応して設けられている。画素１４の構成は、
図１で説明したとおりである。
【００４７】
走査線駆動回路１６は、コントローラー２０から入力される制御信号に従って、走査線
１１５を選択するための走査信号Ｙを出力する回路である。制御信号としては、例えば、
スタートパルス信号ＳＰＹおよびクロック信号ＣＫＹが用いられる。第ｉ行の走査線１１
５に供給される走査信号を、走査信号Ｙｉという。走査信号Ｙｉは、ｍ本の走査線１１５
の中から一の走査線１１５を選択するための信号である。走査信号Ｙｉは、選択される走
査線１１５に対しては選択電圧（Ｈレベル）となり、それ以外の走査線１１５に対しては
非選択電圧（Ｌレベル）となる信号である。選択電圧を示す信号を選択信号といい、非選
択電圧を示す信号を非選択信号という。走査線駆動回路１６は、ｍ本の走査線１１５の中
から一の走査線１１５を順次排他的に選択する。
【００４８】
図１９は、データ線駆動回路１７の構成を示す図である。データ線駆動回路１７は、コ
ントローラー２０から入力される制御信号および画像データに基づいて、画素１４に書き
込まれるデータ電圧を示すデータ信号を出力する回路である。制御信号としては、例えば
、スタートパルス信号ＳＰＸ、クロック信号ＣＫＸ、ラッチ信号ＬＡＴ、極性信号Ｆｐ１
、および極性信号Ｆｐ２が用いられる。第ｊ列のデータ線１１６に供給されるデータ信号
を、データ信号Ｙｊという。データ信号Ｙｊは、選択されている行（第ｉ行）の画素１４
のうち、第ｊ列の画素１４に書き込まれるデータ電圧を示す信号である。
【００４９】
データ線駆動回路１７は、ＬＵＴ（Look Up Table）１７１と、加算回路１７２と、シ
フトレジスター１７３と、ラッチ回路１７４と、Ｄ／Ａ変換器１７５と、増幅器１７６と
を有する。ＬＵＴ１７１は、入力される画像データ（階調値を示すデータ）に応じた補正
値を出力する回路である。ＬＵＴ１７１は、階調値と補正値とを対応させるテーブルを記
憶している。
【００５０】
図２０は、ＬＵＴ１７１に記憶されているデータを例示する図である。ＬＵＴ１７１は
、アドレスとデータの組を複数記憶している。この例で画像データは１２ビット（４０９
６階調）のデジタルデータであり、ＬＵＴ１７１に記憶されているデータも１２ビットの
デジタルデータである。アドレスは表示データに対応している。例えば、データ電圧の最
大値が１０Ｖである場合、アドレス０はデータ電圧０Ｖに相当し、アドレス４０９５はデ
ータ電圧１０Ｖに相当する。
【００５１】
図２１は、ＬＵＴ１７１に記憶されているデータを説明する図である。既に説明したよ
うに、補正値は、データ（階調値）の関数であり、相対ＬＣｃｏｍずれの平均特性の電圧
の正負を反転させた特性に相当する。この例で、補正値とデータとの関係は非線形である
。
【００５２】
再び図１９を参照する。加算回路１７２は、画像データに、ＬＵＴ１７１から出力され
た補正値を加算または減算する。正極性のフレームにおいて補正値は加算され、負極性の
フレームにおいて補正値は減算される。データ電圧の極性が正極性であるか負極性である
かは、極性信号Ｆｐ１により示される。例えば、極性信号Ｆｐ１がＨレベルであった場合
、画像データに補正値が加算される。あるいは、極性信号Ｆｐ１がＬレベルであった場合
、画像データから補正値が減算される。例えば、画像データが「１０４０」であり補正値
が「＋１０」であった場合において、極性信号Ｆｐ１がＨレベルのときは、補正値が加算
され、補正後データは「１０５０」となる。また、極性信号Ｆｐ１がＬレベルのときは、
補正値が減算され、補正後データは、「１０３０」となる。この場合、正極性のフレーム
におけるデータ電圧は、データ「１０５０」に相当する２．５０３０５Ｖであり、負極性
のフレームにおけるデータ電圧は、データ「１０３０」に相当する２．４７８６３２Ｖで
ある。データ電圧の振幅はデータ「１０４０」に相当する２．４９０８Ｖのままであるが
、＋０．０２４４Ｖのオフセットがかかったものに補正されている。
【００５３】
シフトレジスター１７３は、加算回路１７２から出力された補正後データを、１クロッ
ク毎に１列ずつシフトさせて出力する。ラッチ回路１７４は、ラッチ信号ＬＡＴにより示
されるタイミング（シフトレジスター１７３により１行分のデータが転送されたタイミン
グ）で、シフトレジスター１７３からの出力信号をラッチする。Ｄ／Ａ変換器１７５は、
ラッチ回路１７５からの出力信号をアナログ信号に変換して出力する。増幅器１７６は、
Ｄ／Ａ変換器１７５からの出力信号を増幅し、データ信号Ｘｊとしてデータ線１１６に出
力する。
【００５４】
再び図１８を参照する。コントローラー２０は、映像データおよび同期信号に基づいて
各種の制御信号を生成し、電気光学装置１０に出力する回路である。また、この例で、コ
ントローラー２０は、共通電極１３１に、所定の（調整された）電位を与える。なお、共
通電位ＬＣｃｏｍは、専用の電源回路により与えられてもよい。
【００５５】
まとめると、電気光学装置１は、共通電極１３１と、画素電極１１４と、走査線駆動回
路１６と、データ線駆動回路１７とを有する。画素電極１１４は、複数の走査線１１５お
よびデータ線１１６の交差に対応して設けられている。走査線駆動回路１６は、
複数の走査線の中から一の走査線を選択する走査信号を出力する。データ線駆動回路１７
は、走査線駆動回路１６により選択される一の走査線に対応する画素電極１１４に書き込
まれるデータ電圧を示すデータ信号を出力する。データ電圧の極性は、第１フレームにお
いて第１極性（例えば正極性）であり、第１フレームに後続する第２フレームにおいて第
１極性と逆の第２極性（例えば負極性）である。ここで、
（１）第１極性のフレームの時間長は、第２極性のフレームの時間長に対し所定の割合
で長い。
（２）データ電圧は、電圧値（階調値）に応じて補正されている。
（３）共通電極の電位ＬＣｃｏｍは、（１）の条件で（２）により補正された、第１極
性のデータ電圧と第２極性のデータ電圧との中心電位Ｖｃｎｔと共通電極の最適電位ＬＣ
ｃｏｍとのずれが、所定の基準電圧においてゼロになるように調整されている。
【００５６】
３．動作
図２２は、液晶パネル１０の動作を示すタイミングチャートを例示する図である。走査
信号Ｙｉは、順次排他的にＨレベルとなる信号である。液晶パネル１０において、１コマ
の画像を表示させる期間を「フレーム」という。すなわち、走査信号Ｙ１がＨレベルにな
ってから、次にまた走査信号Ｙ１がＨレベルになるまでの期間がフレームである。例えば
、同期信号Ｓｙｎｃに含まれる垂直走査信号の周波数が６０Ｈｚであれば、フレームは１
６．７ミリ秒である。また、一の走査線１１２が選択されている期間を「水平走査期間（
Ｈ）」という。図３は、第１行のデータ信号Ｘｊを例示している。この例では、フレーム
毎にデータ電圧の極性が反転する。正極性のデータ電圧が印加されるフレーム（「正極性
書き込み」）において、データ信号Ｘｊは、基準電圧Ｖｃｎｔに対し、各画素の階調値に
応じた分、高位の電圧を示す。負極性のデータ電圧が印加されるフレーム（「負極性書き
込み」）において、データ信号Ｘｊは、基準電圧Ｖｃｎｔに対し、各画素の階調値に応じ
た分、低位の電圧を示す。データ信号Ｘｊの電圧は、正極性のフレームにおいては、白に
相当する電圧Ｖｗ（＋）から黒に相当する電圧Ｖｂ（＋）までの範囲にあり、負極性のフ
レームにおいては、白に相当する電圧Ｖｗ（−）から黒に相当する電圧Ｖｂ（−）までの
範囲にある。電圧Ｖｗ（＋）および電圧Ｖｗ（−）は、電圧Ｖｃｎｔを中心に互いに対称
の関係にある。電圧Ｖｂ（＋）およびＶｂ（−）についても電圧Ｖｃｎｔを中心に互いに
対称の関係にある。なお、図２２におけるデータ信号Ｘｊの電圧の縦スケールは、（ａ）
における走査信号等の電圧波形と比較して拡大してある。
【００５７】
なお、この例では、既に説明したように、正極性のフレームは負極性のフレームより約
３％長くなるように設定されている。フレームの時間長は、例えば、コントローラー２０
から入力されるスタートパルス信号により調整される。この場合、コントローラー２０は
、設定された時間長となるようにスタートパルス信号を出力する。
【００５８】
電子機器１によれば、原理の項で説明したように、フリッカーおよび焼き付きを抑制す
ることができる。
【００５９】
４．変形例
本発明は上述の実施形態に限定されるものではなく、種々の変形実施が可能である。以
下、変形例をいくつか説明する。以下の変形例のうち２つ以上のものが組み合わせて用い
られてもよい。
【００６０】
データ線駆動回路１７の構成は、実施形態で説明したものに限定されない。例えば、Ｌ
ＵＴ１７１におけるアドレスのビット数ｐと、画像データのビット数ｑは一致していなく
ても、ｐ≦ｑであればよい。この場合、アドレスは画像データの上位ｐビットに相当する
。この場合、ＬＵＴ１７１は、テーブルから得られた補正値を補完する機能を有する。Ｌ
ＵＴ１７１は、補完によりｑビットのデータを出力する。
【００６１】
また、別の例で、データ線駆動回路１７はＬＵＴ１７１および加算回路１７２を有して
いなくてもよい。この場合、コントローラー２０等、データ線駆動回路１７とは別の回路
が、ＬＵＴ１７１および加算回路１７２に相当する機能を有する。データ線駆動回路１７
には、補正された画像データが入力される。データ線駆動回路１７は、画像データに応じ
たデータ信号を出力する。
【００６２】
共通電位ＬＣｃｏｍは、個体毎に個別に調整されなくてもよい。この場合、図１７の補
正はされず図１６の特性のままで電気光学装置１が使用されることとなるが、図１５の特
性と比較して、データ電圧に応じたＬＣｃｏｍずれの変動は抑制されているので、フリッ
カおよび焼き付きの抑制には一定の効果がある。
【００６３】
図２３は、電子機器１の具体例であるプロジェクター２１００の構成を示す図である。
プロジェクター２１００は、液晶パネル１０をライトバルブとして用いた電子機器の一例
である。この図に示されるように、プロジェクター２１００の内部には、ハロゲンランプ
等の白色光源を有するランプユニット２１０２が設けられている。ランプユニット２１０
２から射出された投射光は、内部に配置された３枚のミラー２１０６および２枚のダイク
ロイックミラー２１０８によってＲ（赤）色、Ｇ（緑）色、Ｂ（青）色の３原色に分離さ
れる。分離された投射光は、各原色に対応するライトバルブ１００Ｒ、１００Ｇおよび１
００Ｂにそれぞれ導かれる。なお、Ｂ色の光は、他のＲ色やＧ色と比較すると光路が長い
ので、その損失を防ぐために、入射レンズ２１２２、リレーレンズ２１２３および出射レ
ンズ２１２４を有するリレーレンズ系２１２１を介して導かれる。
【００６４】
プロジェクター２１００において、液晶パネル１０を含む液晶表示装置が、Ｒ色、Ｇ色
、Ｂ色のそれぞれに対応して３組設けられている。ライトバルブ１００Ｒ、１００Ｇおよ
び１００Ｂの構成は、上述した液晶パネル１０と同様である。Ｒ色、Ｇ色、Ｂ色のそれぞ
れの原色成分の階調レベルを指定するに映像信号がそれぞれ外部上位回路から供給されて
、ライトバルブ１００Ｒ、１００Ｇおよび１００がそれぞれ駆動される。ライトバルブ１
００Ｒ、１００Ｇ、１００Ｂによってそれぞれ変調された光は、ダイクロイックプリズム
２１１２に３方向から入射する。そして、ダイクロイックプリズム２１１２において、Ｒ
色およびＢ色の光は９０度に屈折し、Ｇ色の光は直進する。したがって、各原色の画像が
合成された後、スクリーン２１２０には、投射レンズ群２１１４によってカラー画像が投
射される。
【００６５】
なお、ライトバルブ１００Ｒ、１００Ｇおよび１００Ｂには、ダイクロイックミラー２
１０８によって、Ｒ色、Ｇ色、Ｂ色のそれぞれに対応する光が入射するので、カラーフィ
ルタを設ける必要はない。また、ライトバルブ１００Ｒ、１００Ｂの透過像は、ダイクロ
イックプリズム２１１２により反射した後に投射されるのに対し、ライトバルブ１００Ｇ
の透過像はそのまま投射される。したがって、ライトバルブ１００Ｒ、１００Ｂによる水
平走査方向は、ライトバルブ１００Ｇによる水平走査方向と逆向きにして、左右を反転さ
せた像を表示する構成となっている。また、図１７では、液晶表示装置１を透過型のプロ
ジェクターに用いた例を示したが、液晶表示装置１は反射型のプロジェクターに用いられ
てもよい。この場合、液晶パネル１０は反射型の液晶パネルである。
【００６６】
液晶表示装置１が用いられる電子機器としては、プロジェクター２１００の他にも、テ
レビジョンや、ビューファインダー型・モニタ直視型のビデオテープレコーダー、カーナ
ビゲーション装置、ページャー、電子手帳、電卓、ワードプロセッサー、ワークステーシ
ョン、テレビ電話、ＰＯＳ端末、デジタルスチルカメラ、携帯電話機、タッチパネルを備
えた機器等などが挙げられる。
【００６７】
液晶パネル１０の構成は実施形態で説明したものに限定されない。２次元的に配置され
た画素を有するものであれば、どのような構成であってもよい。例えば、電気光学素子は
液晶素子１２０に限定されない。有機ＥＬ（Electro Luminescence）素子等、液晶素子以
外の電気光学素子が用いられてもよい。また、画素１４の等価回路は、図１で説明したも
のに限定されない。外部からの信号によって階調を制御できるものであれば、どのような
構成の画素回路が用いられてもよい。例えば、スイッチング手段はｎチャネル型のＴＦＴ
に限定されない。ｐチャネル型のＴＦＴが用いられてもよいし、トランスミッションゲー
ト回路が用いられてもよい。また、実施形態では、液晶パネル１０がノーマリーブラック
モードで動作する例を説明したが、液晶パネル１０はノーマリーホワイトモードで動作す
るものであってもよい。
【符号の説明】
【００６８】
１・・・電子機器、１０・・・電気光学装置、１２・・・液晶層、１４・・・画素、１
６・・・走査線駆動回路、１７・・・データ線駆動回路、２０・・・コントローラー、１
１４・・・画素電極、１１５・・・走査線、１３１・・・共通電極、１４１・・・トラン
ジスター、１４２・・・容量素子、１４３・・・液晶素子、１７１・・・ＬＵＴ、１７２
・・・加算器、１７３・・・シフトレジスター、１７４・・・ラッチ回路、１７５・・・
Ｄ／Ａ変換器、１７６・・・増幅器、２１００…プロジェクター、２１０２…ランプユニ
ット、２１０６…ミラー、２１０８…ダイクロイックミラー、２１１２…ダイクロイック
プリズム、２１１４…投射レンズ群、２１２０…スクリーン、２１２１…リレーレンズ系
、２１２２…入射レンズ、２１２３…リレーレンズ、２１２４…出射レンズ
【図１】
2013109131.tif 000003
【図２】
2013109131.tif 000004
【図３】
2013109131.tif 000005
【図４】
2013109131.tif 000006
【図５】
2013109131.tif 000007
【図６】
2013109131.tif 000008
【図７】
2013109131.tif 000009
【図８】
2013109131.tif 000010
【図９】
2013109131.tif 000011
【図１０】
2013109131.tif 000012
【図１１】
2013109131.tif 000013
【図１２】
2013109131.tif 000014
【図１３】
2013109131.tif 000015
【図１４】
2013109131.tif 000016
【図１５】
2013109131.tif 000017
【図１６】
2013109131.tif 000018
【図１７】
2013109131.tif 000019
【図１８】
2013109131.tif 000020
【図１９】
2013109131.tif 000021
【図２０】
2013109131.tif 000022
【図２１】
2013109131.tif 000023
【図２２】
2013109131.tif 000024
【図２３】
2013109131.tif 000025